(57)【要約】      （修正有）【課題】イオンの発生および停止を制御できる、腕時計を提供する。【解決手段】腕時計は、時計本体１と、時計を腕に装着するためのバンド部と、バンド部を固定するバックル６とを備える。イオンが放出されるイオン発生部１０は、文字盤表面２、文字盤裏面５およびバックル６に取り付けられている。イオン発生ボタン１１は、文字盤の側部に取り付けられており、イオン発生ボタン１１の操作によって、イオンの発生および停止を制御することができる。発生したイオンは、イオン発生部１０より放出される。【選択図】図１
2009204504.tif 000002
【特許請求の範囲】
【請求項１】
イオンの発生および停止を制御可能であるイオン発生装置を備える、腕時計。
【請求項２】
前記イオン発生装置は、イオンが放出されるイオン発生部を含み、
前記イオン発生部は、前記腕時計の表面側に配置される、請求項１に記載の腕時計。
【請求項３】
前記イオン発生部は、文字盤表面に取り付けられている、請求項２に記載の腕時計。
【請求項４】
バンド部をさらに備え、
前記イオン発生部は、前記バンド部の表面側にさらに取り付けられている、請求項３に記載の腕時計。
【請求項５】
前記イオン発生装置は、イオンが放出されるイオン発生部を含み、
前記イオン発生部は、前記腕時計の裏面側に配置される、請求項１に記載の腕時計。
【請求項６】
前記イオン発生部は、文字盤裏面に取り付けられている、請求項５に記載の腕時計。
【請求項７】
バンド部をさらに備え、
前記イオン発生部は、前記バンド部の裏面側にさらに取り付けられている、請求項５に記載の腕時計。
【請求項８】
腕時計周辺の温度を検知する温度検知部をさらに備え、
前記温度検知部が腕の温度を感知したとき、前記イオンを発生させる、請求項１から請求項７のいずれかに記載の腕時計。
【請求項９】
腕時計周辺の湿度を検知する湿度検知部をさらに備え、
前記湿度検知部により検知された前記湿度に対応して、前記イオンを発生させる、請求項１から請求項８のいずれかに記載の腕時計。
【請求項１０】
カレンダー機能をさらに備え、
前記カレンダー機能により指定された時期に対応して、前記イオンを発生させる、請求項１から請求項８のいずれかに記載の腕時計。
【請求項１１】
ゲーム機能をさらに備え、
前記ゲーム機能の使用中に前記イオンを発生させる、請求項１から請求項８のいずれかに記載の腕時計。
【請求項１２】
計算機機能をさらに備え、
前記計算機機能の使用中に前記イオンを発生させる、請求項１から請求項８のいずれかに記載の腕時計。
【請求項１３】
タイマーアラーム機能をさらに備え、
前記タイマーアラーム機能により指定された時刻に対応して、前記イオンの発生および停止を制御する、請求項１から請求項８のいずれかに記載の腕時計。
【請求項１４】
ファンをさらに備え、
前記イオンの発生中に前記ファンを運転する、請求項１から請求項４のいずれかに記載の腕時計。
【発明の詳細な説明】
【技術分野】
【０００１】
本発明は、腕時計に関する。
【背景技術】
【０００２】
図２５および図２６は、従来の腕時計の例を示す模式図である。図２５および図２６に示すように、従来の腕時計は、時計本体１と、時計を腕に装着するためのバンド部と、バンド部を固定するバックル６とを備える。時計本体１は文字盤を含み、文字盤表面２に時刻が示される。また腕時計を腕に装着するとき、バンド部表面３が外向きとなり、バンド部裏面４および文字盤裏面５は内向きとなり腕に接触する。
【０００３】
従来の腕時計の機能としては、本来の機能である時刻を視認できる機能以外に、温度湿度感知機能、カレンダー機能、ゲーム機能、計算機機能、タイマーアラーム機能など、さまざまな機能が備わった付加価値の高い腕時計が存在している。また、バンド部にマイナスイオン発生チップを取り付けた腕時計が提案されている（たとえば、特許文献１参照）。
【特許文献１】登録実用新案第３０２８７３８号公報
【発明の開示】
【発明が解決しようとする課題】
【０００４】
特許文献１で提案されている腕時計では、マイナスイオン発生チップとして薬石とハーブエキスとを合成して形成したものが使用されており、マイナスイオンの発生量は常時一定であると考えられる。つまり、腕時計の各機能を使用するときにイオンの発生および停止を制御できる腕時計は開示されていない。
【０００５】
それゆえに、本発明の主たる目的は、イオンの発生および停止を制御可能である、腕時計を提供することである。
【課題を解決するための手段】
【０００６】
この発明に係る腕時計は、イオンの発生および停止を制御可能であるイオン発生装置を備える。
【０００７】
また、イオン発生装置は、イオンが放出されるイオン発生部を含み、イオン発生部は、腕時計の表面側に配置されてもよい。
【０００８】
また、イオン発生部は、文字盤表面に取り付けられていてもよい。
また、腕時計は、バンド部をさらに備え、イオン発生部は、バンド部の表面側にさらに取り付けられていてもよい。
【０００９】
また、イオン発生装置は、イオンが放出されるイオン発生部を含み、イオン発生部は、腕時計の裏面側に配置されてもよい。
【００１０】
また、イオン発生部は、文字盤裏面に取り付けられていてもよい。
また、腕時計は、バンド部をさらに備え、イオン発生部は、バンド部の裏面側にさらに取り付けられていてもよい。
【００１１】
また、腕時計は、腕時計周辺の温度を検知する温度検知部をさらに備え、温度検知部が腕の温度を感知したとき、イオンを発生させてもよい。
【００１２】
また、腕時計は、腕時計周辺の湿度を検知する湿度検知部をさらに備え、湿度検知部により検知された湿度に対応して、イオンを発生させてもよい。
【００１３】
また、腕時計は、カレンダー機能をさらに備え、カレンダー機能により指定された時期に対応して、イオンを発生させてもよい。
【００１４】
また、腕時計は、ゲーム機能をさらに備え、ゲーム機能の使用中にイオンを発生させてもよい。
【００１５】
また、腕時計は、計算機機能をさらに備え、計算機機能の使用中にイオンを発生させてもよい。
【００１６】
また、腕時計は、タイマーアラーム機能をさらに備え、タイマーアラーム機能により指定された時刻に対応して、イオンの発生および停止を制御してもよい。
【００１７】
また、腕時計は、ファンをさらに備え、イオンの発生中にファンを運転してもよい。
【発明の効果】
【００１８】
この発明によると、時計としての本来の機能である時刻を視認できる機能に加えて、イオンの発生および停止を制御可能であるイオン発生装置を備えることによって、使用者に快適感を与えるような機能、および、腕時計自身が自動で除菌する機能を付加された、高機能な腕時計を提供することができる。
【発明を実施するための最良の形態】
【００１９】
以下、図面に基づいてこの発明の実施の形態を説明する。なお、以下の図面において、同一または相当する部分には同一の参照番号を付し、その説明は繰返さない。
【００２０】
（実施の形態１）
図１は、本発明の実施の形態１の腕時計を示す斜視図である。図１に示すように、本発明の腕時計は、時計本体１と、時計を腕に装着するためのバンド部と、バンド部を固定するバックル６とを備える。時計本体１は文字盤を含み、文字盤表面２に時刻が示される。また腕時計を腕に装着するとき、バンド部表面３が外向きとなり、バンド部裏面４および文字盤裏面５は内向きとなり腕に接触する。
【００２１】
また、イオンが放出されるイオン発生部１０は、文字盤表面２、文字盤裏面５およびバックル６に取り付けられている。イオン発生ボタン１１は、文字盤の側部に取り付けられており、イオン発生ボタン１１の操作によって、イオンの発生および停止を制御することができる。たとえば、文字盤表面２に表示されている時刻を表す数字の位置にイオン発生部１０を設けることで、文字盤を視認でき時刻を確認できる状態を保ちつつ、文字盤表面２にイオン発生部１０を取り付けることが可能となる。たとえば、腕時計を液晶表示の時計にし、液晶表示部分以外の表面の全部または一部をイオン発生部１０とし、イオン発生部１０の表面を透明アルミナ焼結体で封止して、封止面が文字盤表面２に露出している構成とすることができる。
【００２２】
図２は、イオン発生装置の回路構成を示す接続図である。図２に示すように、イオン発生装置の回路構成としては、一対以上の電極を有し、その電極間に放電発生電圧を印加し、その放電によりイオンを発生するイオン発生素子である電極パネル１１３と、上記電極パネル１１３によるイオン発生に必要な電圧を上記電極間に印加する電圧印加手段とを備えたものである。
【００２３】
図２に基づき、イオン発生装置の回路構成およびイオン発生原理について説明する。Ｂ入力電圧端子＋Ｖと接地端子ＧＮＤとの間にたとえば１２Ｖの直流電圧を印加すると、電流は電流制限抵抗１０１を流れ、コンデンサ１０２に充電される。ここで、コンデンサ１０２の充電電圧は、抵抗１０５と抵抗１０６とによって分圧され、シャントレギュレータ１０３の基準電圧に達したとき、このシャントレギュレータ１０３はＯＮ状態となり、トランジスタ１０４がＯＮとなり、抵抗１０８を通して、サイリスタ１１１のゲートに電圧が印加され、サイリスタ１１１がＯＮとなる。
【００２４】
このとき、コンデンサ１０２と昇圧トランス１１２の１次巻線１１２ａとサイリスタ１１１とのループによって、サイリスタ１１１の短絡により、コンデンサ１０２に充電された電荷を放電させる。これにより、１次巻線１１２ａにインパルス電圧を発生させ、昇圧トランス１１２の２次巻線１１２ｂ、１１２ｃ間に発生する高圧を高圧リード線１１６および高圧リード線１１７を用いてイオン発生素子の電極パネル１１３に印加する。その印加電圧による電極パネル１１３の放電により、イオンを放出する。
【００２５】
一方リレー端子ＲＹＯＮにリレー１１４の動作電圧を印加するとリレー１１４が動作し、昇圧トランス１１２の２次巻線１１２ｃが、ダイオード１１５を通じて接地端子ＧＮＤに接続され、マイナスイオンを放出する。さらにリレー１１４がオープンの時は、プラスイオンとマイナスイオンとを放出する。なお、電極パネル１１３の構成については、特開２００４−６２９６号公報に開示されている。
【００２６】
図２に示す高圧トランスの２次側（２次巻線１１２ｂ、１１２ｃ間）には高電圧のインパルス電圧が発生する。この高電圧を発生させる高圧トランス全体を、難燃性９４Ｖ−０のウレタン樹脂やエポキシ樹脂材料によってモールドすることで、イオン発生装置の安全性、信頼性が確保される。また、図２に示すように、イオン発生装置を内蔵する腕時計については、ＤＣ入力でありＧＮＤが存在するので、このＧＮＤを接地することにより、イオン発生装置の安全性が確立される。このように、安全性の確保されたイオン発生装置を用いるので、イオン発生装置を備える腕時計を人体の腕に取り付けて使用することが可能となっている。
【００２７】
図３は、イオン発生ボタンによるイオンの発生および停止に係る制御を示すフローチャートである。図３に示すように、まず工程（Ｓ１）において、腕時計の文字盤側面に取り付けられたイオン発生ボタン１１が、ＯＮされているかを判断する。イオン発生ボタン１１がＯＮされていると判断された場合には、次に工程（Ｓ２）においてＯＮ／ＯＦＦ制御回路がＯＮされる。続いて工程（Ｓ３）において、イオン発生部１０よりイオンが放出される。また、イオン発生ボタン１１がＯＮされていないと判断された場合には、工程（Ｓ４）においてＯＮ／ＯＦＦ制御回路がＯＦＦ状態とされ、その結果、工程（Ｓ５）の通りイオン発生部１０よりイオンは放出されない。
【００２８】
以下、実施の形態１の腕時計の変形例について説明する。図４は、実施の形態１の腕時計の変形例１を示す斜視図である。図４に示す腕時計では、イオン発生部１０を、腕時計装着時に外向きとなる腕時計の表面側、すなわち文字盤表面２、バンド部表面３およびバックル６の表面側に配置する。そのため、外出先で腕時計使用者が時刻を視認する際にイオンによる快適感を感じることができ、また、時刻を視認するとき以外のさまざまな場面においてもイオンによる快適感を感じることができる、腕時計となっている。
【００２９】
図５は、実施の形態１の腕時計の変形例２を示す斜視図である。図５に示す腕時計では、イオン発生部１０を、時刻が示される文字盤表面２の全面に配置する。そのため、外出先で腕時計使用者が時刻を視認する動作によってイオンによる快適感を感じることができる。また、狭い空間の個室においても文字盤表面２の全面に設けられたイオン発生部１０からイオンが放出されるため、腕時計周辺の空間が除菌されるとともに、イオンによる快適感を感じることができる、腕時計となっている。
【００３０】
図６は、実施の形態１の腕時計の変形例３を示す斜視図である。図６に示す腕時計では、イオン発生部１０を、時刻が示される文字盤表面２の全面に加え、バンド部表面３に配置する。イオン発生部１０が増えることでイオン発生量が多くなるため、外出先で腕時計使用者が時刻を視認する動作によってイオンによる快適感を感じることができる。また、狭い空間の個室においても文字盤表面２およびバンド部表面３に設けられたイオン発生部１０からイオンが放出されるため、イオンによる快適感をさらに向上させた、腕時計となっている。
【００３１】
図７は、実施の形態１の腕時計の変形例４を示す斜視図である。図７に示す腕時計では、イオン発生部１０を、腕時計を腕に装着するとき内向きとなり腕に接触する腕時計の裏面側、すなわちバンド部裏面４および文字盤裏面５に配置する。これにより、腕時計装着時、直接肌にイオンが放出されるため、イオンによる快適感を感じることができる。また、腕時計を腕から取り外した際も、バンド部裏面４および文字盤裏面５に設けられたイオン発生部１０からイオンが放出されているため、腕時計の除菌を自動に行なうことができる、腕時計となっている。
【００３２】
図８は、実施の形態１の腕時計の変形例５を示す斜視図である。図８に示す腕時計では、イオン発生部１０を、腕時計を腕に装着するとき内向きとなり腕に接触する文字盤裏面５の全面に配置する。これにより、腕時計装着時、文字盤裏面５に接触する肌の部分を特定してイオンが放出されるため、イオンによる快適感を感じることができる。また、腕時計を腕から取り外した際も、文字盤裏面５に設けられたイオン発生部１０からイオンが放出されているため、腕時計の除菌を自動に行なうことができる、腕時計となっている。
【００３３】
図９は、実施の形態１の腕時計の変形例６を示す斜視図である。図９に示す腕時計では、イオン発生部１０を、腕時計を腕に装着するとき内向きとなり腕に接触する文字盤裏面５の全面に加え、バンド部裏面４に配置する。これにより、腕時計装着時、文字盤裏面５およびバンド部裏面４に設けられたイオン発生部１０からイオンが放出され、直接肌にイオンが接触する面積が大きくなる。イオン発生量が多くなることで、イオンによる快適感をさらに向上させることができる。また、腕時計を腕から取り外した際も、文字盤裏面５およびバンド部裏面４に設けられたイオン発生部１０からイオン量が多く放出されているため、腕時計の除菌効果をさらに高めることができる、腕時計となっている。
【００３４】
以上説明したように、この腕時計においては、腕時計の本来の機能である時刻を視認できる機能とともに、イオン発生ボタン１１を押すことでイオン発生部１０よりイオンを放出するイオン発生装置を備える。イオンの発生および停止の制御を行なう機能を備えることにより、外出先で腕時計使用者が時刻を視認する際にイオンによる快適感を感じることができる。また、時刻を視認するとき以外のさまざまな場面においても、イオンによる快適感を感じることができ、また、腕時計自身が自動で除菌することができる、高機能な腕時計を提供することができる。
【００３５】
ここで、イオン発生装置を腕時計に設置するためには、省電力化および小型化が必要不可欠になる。一般的な腕時計の電力源はボタン型電池である。しかし、本発明では腕時計にイオン発生装置を内蔵しており、消費電力は一般的な腕時計よりも増加する。
【００３６】
省電力化に対する課題を解決する構成としては、現在一部の腕時計に採用されている、太陽光を電力源とするソーラー電池を採用する構成で、本発明での消費電力増加分を対策対応することができる。また、携帯電話機などで一般的に採用されているバッテリーとなる、リチウム電池での充電方式を採用する構成によって対応することができる。また、小型化に対する構成としては、イオン発生装置を構成する全部品を、１つのパッケージに纏めＩＣ化する事で、小型化対応する構成とすることができる。
【００３７】
（実施の形態２）
図１０は、実施の形態２の腕時計を示す斜視図である。実施の形態２における腕時計は、実施の形態１と比較して、文字盤裏面５に、腕時計周辺の温度を検知する温度検知部としての温度検知センサー１２をさらに備える点で異なる。
【００３８】
実施の形態２では、腕時計を腕に取り付ける行為により文字盤裏面５の温度が上昇することから、温度検知センサー１２が腕の温度を感知し、イオン発生装置が動作しイオンを発生させる機能を有している。そのため、実施の形態１でイオン発生装置を動作させる際に行なっていたイオン発生ボタン１１を押す行為が不要となる、腕時計となっている。
【００３９】
図１１は、温度検知部によるイオンの発生および停止に係る制御を示すフローチャートである。図１１に示すように、まず工程（Ｓ１１）において、温度検知センサー１２の設定温度を、たとえば３５℃に設定する。次に工程（Ｓ１２）において、腕時計の文字盤裏面５に取り付けられた温度検知センサー１２が温度を検知し、検知する温度が設定温度である３５℃以上であるかを判断する。温度検知センサー１２が検知する温度が３５℃以上であると判断され、腕時計が腕に装着されていると判断された場合には、次に工程（Ｓ１３）においてＯＮ／ＯＦＦ制御回路がＯＮされる。続いて工程（Ｓ１４）において、イオン発生部１０よりイオンが放出される。
【００４０】
また、温度検知センサー１２が検知する温度が３５℃を下回ると判断され、腕時計が腕に装着されていないと判断された場合には、工程（Ｓ１５）においてＯＮ／ＯＦＦ制御回路がＯＦＦ状態とされ、その結果、工程（Ｓ１６）の通りイオン発生部１０よりイオンは放出されない。
【００４１】
（実施の形態３）
図１２は、実施の形態３の腕時計を示す斜視図である。実施の形態３における腕時計は、実施の形態１と比較して、文字盤表面２に、腕時計周辺の湿度を検知する湿度検知部としての湿度検知センサー１３をさらに備える点で異なる。
【００４２】
実施の形態３では、湿度検知センサー１３が腕時計周辺の湿度を感知し、湿度によってイオン発生量を制御する機能を有している。腕時計装着者周辺の湿度が高い場合、大気中に浮遊する菌が増殖するが、湿度検知センサー１３が腕時計周辺の湿度が高いことを検知し、イオン発生部１０より放出されるイオン発生量を増加させることで、湿度が高い場合でもイオンによる快適感を感じることができ、また腕時計の除菌効果を高めることが自動でできる、腕時計となっている。イオンの発生および停止に係るＯＮ／ＯＦＦ制御回路を用いてイオン発生時間を長くすることにより、イオン発生量を増加させることができる。
【００４３】
図１３は、湿度検知部によるイオン発生量に係る制御を示すフローチャートである。図１３に示すように、まず工程（Ｓ２１）において、湿度検知センサー１３の設定湿度を、たとえば７０％に設定する。次に工程（Ｓ２２）において、腕時計の文字盤表面２の文字盤近辺に取り付けられた湿度検知センサー１３が腕時計周辺の湿度を検知し、検知する湿度が設定湿度である７０％以上であるかを判断する。湿度検知センサー１３が検知する湿度が７０％以上であると判断された場合には、次に工程（Ｓ２３）においてイオン発生量制御回路がＯＮされる。続いて工程（Ｓ２４）において、イオン発生部１０より、通常より増加したイオン発生量が放出される。
【００４４】
また、湿度検知センサー１３が検知する湿度が７０％を下回ると判断された場合には、工程（Ｓ２５）においてイオン発生量制御回路がＯＦＦ状態とされ、その結果、工程（Ｓ２６）の通りイオン発生部からは通常のイオン発生量が放出される。
【００４５】
（実施の形態４）
図１４は、実施の形態４の腕時計を示す斜視図である。実施の形態４における腕時計は、実施の形態１と比較して、文字盤表面２に、カレンダー表示部１４をさらに備える点で異なる。
【００４６】
実施の形態４では、腕時計の一般的機能であるカレンダー機能を利用し、カレンダー機能により指定された時期に対応して、イオン発生量を制御する機能を有している。たとえば、カレンダー機能としてのカレンダー表示部１４が梅雨時期である６月、７月を表示した場合、梅雨以外の時期に放出するイオン発生量より多く放出する機能を有している。そのため、湿度が高い場合でもイオンによる快適感を感じることができ、また腕時計の除菌効果を高めることが自動でできる、腕時計となっている。
【００４７】
図１５は、カレンダー機能によるイオン発生量に係る制御を示すフローチャートである。図１５に示すように、まず工程（Ｓ３１）において、イオン発生量を増加させる時期を、たとえば梅雨時である６月、７月に設定する。次に工程（Ｓ３２）において、カレンダー表示部１４が表示している月が、指定された時期である６月または７月であるかを判断する。カレンダー表示部１４が６月または７月を表示していると判断された場合には、次に工程（Ｓ３３）においてイオン発生量制御回路がＯＮされる。続いて工程（Ｓ３４）において、イオン発生部１０より、通常より増加したイオン発生量が放出される。
【００４８】
また、カレンダー表示部１４の月表示が６月または７月を表示していないと判断された場合には、工程（Ｓ３５）においてイオン発生量制御回路がＯＦＦ状態とされ、その結果、工程（Ｓ３６）の通りイオン発生部１０からは通常のイオン発生量が放出される。
【００４９】
（実施の形態５）
図１６は、実施の形態５の腕時計を示す斜視図である。実施の形態５における腕時計は、実施の形態１と比較して、文字盤表面２に、ゲーム表示部１５をさらに備える点で異なる。
【００５０】
実施の形態５では、ゲーム機能をさらに備える腕時計において、ゲーム機能の使用中、つまりゲーム表示部１５を目視しゲームを行なっている間に、イオンを発生させ、イオン発生部１０からイオンが放出される。そのため、ゲーム機能の使用中に、意識することなく無意識のうちにイオンを吸収することができる、腕時計となっている。
【００５１】
図１７は、腕時計の機能の一つである、ゲーム機能によるイオンの発生および停止に係る制御を示すフローチャートである。図１７に示すように、まず工程（Ｓ４１）において、ゲーム機能を使用しているかを判断する。ゲーム機能を使用中と判断された場合には、次に工程（Ｓ４２）においてＯＮ／ＯＦＦ制御回路がＯＮされる。続いて工程（Ｓ４３）において、イオン発生部１０よりイオンが放出される。また、ゲーム機能を使用していないと判断された場合には、工程（Ｓ４４）においてＯＮ／ＯＦＦ制御回路がＯＦＦ状態とされ、その結果、工程（Ｓ４５）の通りイオン発生部１０よりイオンは放出されない。
【００５２】
（実施の形態６）
図１８は、実施の形態６の腕時計を示す斜視図である。実施の形態６における腕時計は、実施の形態１と比較して、文字盤表面２が開閉可能に形成されており、文字盤表面２を開状態とすると表示される計算機表示部１６をさらに備える点で異なる。
【００５３】
実施の形態６では、計算機機能（電卓機能）をさらに備える腕時計において、計算機機能の使用中、つまり計算機表示部１６を目視し計算を行なっている間に、イオンを発生させ、イオン発生部１０からイオンが放出される。そのため、計算機機能の使用中に、意識することなく無意識のうちにイオンを吸収することができる、腕時計となっている。
【００５４】
図１９は、腕時計の機能の一つである、計算機機能によるイオンの発生および停止に係る制御を示すフローチャートである。図１９に示すように、まず工程（Ｓ５１）において、計算機機能を使用しているかを判断する。計算機機能を使用中と判断された場合には、次に工程（Ｓ５２）においてＯＮ／ＯＦＦ制御回路がＯＮされる。続いて工程（Ｓ５３）において、イオン発生部１０よりイオンが放出される。また、計算機機能を使用していないと判断された場合には、工程（Ｓ５４）においてＯＮ／ＯＦＦ制御回路がＯＦＦ状態とされ、その結果、工程（Ｓ５５）の通りイオン発生部１０よりイオンは放出されない。
【００５５】
（実施の形態７）
図２０は、実施の形態７の腕時計を示す斜視図である。実施の形態７における腕時計は、実施の形態１と比較して、文字盤表面２が開閉可能に形成されており、文字盤表面２を開状態とすると表示されるタイマーアラーム設定部１７をさらに備える点で異なる。
【００５６】
実施の形態７では、腕時計の一般的機能であるタイマーアラーム機能を利用して、イオンの発生および停止を制御する機能を有している。タイマーアラーム機能により指定された時刻に対応して、イオンの発生および停止を制御する。つまり、タイマーアラームが作動すると同時にイオン発生部１０よりイオンが放出されるため、タイマーアラーム開始時刻の設定により、好きなタイミングでイオンを放出できる、腕時計となっている。
【００５７】
図２１は、腕時計の機能の一つである、タイマーアラーム機能によるイオンの発生および停止に係る制御を示すフローチャートである。図２１に示すように、まず工程（Ｓ６１）において、タイマーアラームの開始および終了時刻を指定する。たとえば、タイマーアラームの開始時刻を７：００、終了時刻を７：３０に設定する。次に工程（Ｓ６２）において、タイマーアラーム機能で指定された時間内であるかを判断する。指定された時間内であると判断された場合には、次に工程（Ｓ６３）においてＯＮ／ＯＦＦ制御回路がＯＮされる。続いて工程（Ｓ６４）において、イオン発生部１０よりイオンが放出される。
【００５８】
また、タイマーアラーム機能で指定された時間内でないと判断された場合には、工程（Ｓ６５）においてＯＮ／ＯＦＦ制御回路がＯＦＦ状態とされ、その結果、工程（Ｓ６６）の通りイオン発生部１０よりイオンは放出されない。
【００５９】
（実施の形態８）
図２２は、実施の形態８の腕時計を示す斜視図である。実施の形態８における腕時計は、実施の形態１と比較して、文字盤表面２が開閉可能に形成されており、文字盤表面２を開状態とすると表示されるファン１８をさらに備える点で異なる。
【００６０】
実施の形態８では、イオンの発生中にファン１８を運転し送風する。そのため、イオン発生部１０から放出されるイオンが送風に乗って人体に効率よく行き届くといった機能を有する、腕時計となっている。
【００６１】
図２３は、イオンの発生および停止に係るファンの運転制御を示すフローチャートである。図２３に示すように、まず工程（Ｓ７１）において、腕時計の文字盤蓋を開けているかを判断する。文字盤蓋を開けていると判断された場合には、次に工程（Ｓ７２）においてＯＮ／ＯＦＦ制御回路がＯＮされる。続いて工程（Ｓ７３）において、文字盤蓋内側に取り付けられたイオン発生部１０よりイオンが放出されると同時に、ファン１８が動作開始する。そのため、放出されたイオンは、ファン１８の送風に乗って人体に効率よく行き届く。また、腕時計の文字盤蓋を開けていないと判断された場合には、工程（Ｓ７４）においてＯＮ／ＯＦＦ制御回路がＯＦＦ状態とされ、その結果、工程（Ｓ７５）の通りイオン発生部１０よりイオンは放出されず、ファン１８も動作しない。
【００６２】
ここで、実施の形態１〜８で説明した各機能を備える、腕時計の全体構成について説明する。図２４は、腕時計の全体構成を示すブロック図である。図２４に示すように、電源は、時計およびイオン発生装置を構成する各機能に、直接または他の機能を介在させて接続されており、各機能に必要な電力を供給する。電源には、ＤＣ入力仕様のものが用いられる。腕時計は、時計に付随する一般的機能として、計算機機能、タイマーアラーム機能、ゲーム機能およびカレンダー機能を備える。
【００６３】
ＯＮ／ＯＦＦ制御回路は、イオン発生部からのイオンの発生（ＯＮ）および停止（ＯＦＦ）を制御しうる機能を表す。イオン量制御回路は、たとえばイオン発生部からのイオンの発生時間を調整することにより、イオン発生部より放出されるイオン発生量を制御しうる機能を表す。イオン発生部は、ＯＮ／ＯＦＦ制御回路およびイオン量制御回路によって制御され、決定された量のイオンを発生し、またはイオンの放出を停止する。
【００６４】
イオン発生ボタン、温度検知センサー、計算機機能、タイマー機能およびゲーム機能は、ＯＮ／ＯＦＦ制御回路に制御信号を送信し、イオン発生部からイオンを発生させる。つまり、イオン発生ボタンが押されるとイオンを発生させる。また、温度感知センサーが腕の温度を感知したときイオンを発生させる。また、計算機機能の使用中にイオンを発生させる。また、タイマーアラーム機能により指定された時刻に対応してイオンを発生させる。また、ゲーム機能の使用中にイオンを発生させる。
【００６５】
ＯＮ／ＯＦＦ制御回路からファン機能に制御信号が送信される。つまり、ＯＮ／ＯＦＦ制御回路がイオン発生部からイオンを発生させるときには、ファンを運転する。
【００６６】
湿度検知センサーおよびカレンダー機能は、イオン量制御回路に制御信号を送信し、イオン発生量を制御する。つまり、湿度検知センサーにより検知された湿度に対応して、イオン発生量を制御する。また、カレンダー機能により指定された時期に対応して、イオン発生量を制御する。
【００６７】
以上のように本発明の実施の形態について説明を行なったが、各実施の形態の構成を適宜組合せてもよい。また、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【図面の簡単な説明】
【００６８】
【図１】実施の形態１の腕時計を示す斜視図である。
【図２】イオン発生装置の回路構成を示す接続図である。
【図３】イオン発生ボタンによるイオンの発生および停止に係る制御を示すフローチャートである。
【図４】実施の形態１の腕時計の変形例１を示す斜視図である。
【図５】実施の形態１の腕時計の変形例２を示す斜視図である。
【図６】実施の形態１の腕時計の変形例３を示す斜視図である。
【図７】実施の形態１の腕時計の変形例４を示す斜視図である。
【図８】実施の形態１の腕時計の変形例５を示す斜視図である。
【図９】実施の形態１の腕時計の変形例６を示す斜視図である。
【図１０】実施の形態２の腕時計を示す斜視図である。
【図１１】温度検知部によるイオンの発生および停止に係る制御を示すフローチャートである。
【図１２】実施の形態３の腕時計を示す斜視図である。
【図１３】湿度検知部によるイオン発生量に係る制御を示すフローチャートである。
【図１４】実施の形態４の腕時計を示す斜視図である。
【図１５】カレンダー機能によるイオン発生量に係る制御を示すフローチャートである。
【図１６】実施の形態５の腕時計を示す斜視図である。
【図１７】ゲーム機能によるイオンの発生および停止に係る制御を示すフローチャートである。
【図１８】実施の形態６の腕時計を示す斜視図である。
【図１９】計算機機能によるイオンの発生および停止に係る制御を示すフローチャートである。
【図２０】実施の形態７の腕時計を示す斜視図である。
【図２１】タイマーアラーム機能によるイオンの発生および停止に係る制御を示すフローチャートである。
【図２２】実施の形態８の腕時計を示す斜視図である。
【図２３】イオンの発生および停止に係るファンの運転制御を示すフローチャートである。
【図２４】腕時計の全体構成を示すブロック図である。
【図２５】従来の腕時計の一例を示す模式図である。
【図２６】従来の腕時計の他の例を示す模式図である。
【符号の説明】
【００６９】
１  時計本体、２  文字盤表面、３  バンド部表面、４  バンド部裏面、５  文字盤裏面、６  バックル、１０  イオン発生部、１１  イオン発生ボタン、１２  温度検知部、１３  湿度検知部、１４  カレンダー表示部、１５  ゲーム表示部、１６  計算機表示部、１７  タイマーアラーム設定部、１８  ファン、１０１  電流制限抵抗、１０２  コンデンサ、１０３  シャントレギュレータ、１０４  トランジスタ、１０５，１０６，１０８  抵抗、１１１  サイリスタ、１１２  昇圧トランス、１１２ａ  １次巻線、１１２ｂ，１１２ｃ  ２次巻線、１１３  電極パネル、１１４  リレー、１１５  ダイオード、１１６，１１７  高圧リード線。
【図１】
2009204504.tif 000003
【図２】
2009204504.tif 000004
【図３】
2009204504.tif 000005
【図４】
2009204504.tif 000006
【図５】
2009204504.tif 000007
【図６】
2009204504.tif 000008
【図７】
2009204504.tif 000009
【図８】
2009204504.tif 000010
【図９】
2009204504.tif 000011
【図１０】
2009204504.tif 000012
【図１１】
2009204504.tif 000013
【図１２】
2009204504.tif 000014
【図１３】
2009204504.tif 000015
【図１４】
2009204504.tif 000016
【図１５】
2009204504.tif 000017
【図１６】
2009204504.tif 000018
【図１７】
2009204504.tif 000019
【図１８】
2009204504.tif 000020
【図１９】
2009204504.tif 000021
【図２０】
2009204504.tif 000022
【図２１】
2009204504.tif 000023
【図２２】
2009204504.tif 000024
【図２３】
2009204504.tif 000025
【図２４】
2009204504.tif 000026
【図２５】
2009204504.tif 000027
【図２６】
2009204504.tif 000028